(57)【要約】【課題】  粒状体の敷設作業を省略することが可能な排泄物処理材を提供する。【解決手段】  排泄物処理材１は、複数の粒状体１０、及び包装袋２０を備えている。粒状体１０は、排泄物を処理するための粒状体である。複数の粒状体１０は、包装袋２０に収容されている。包装袋２０には、包装袋２０をその端部２０ａ以外の部分から開封することが可能な開封口３２が設けられている。【選択図】  図１
2017070885.tif 000002
【特許請求の範囲】
【請求項１】
排泄物を処理するための複数の粒状体と、
前記複数の粒状体が収容された包装袋と、を備え、
前記包装袋には、当該包装袋を端部以外の部分から開封することが可能な開封口が設けられていることを特徴とする排泄物処理材。
【請求項２】
請求項１に記載の排泄物処理材において、
前記包装袋は、当該包装袋の表面又は裏面の一方を構成する第１のシートと、前記表面又は前記裏面の他方を構成する第２のシートとを有する排泄物処理材。
【請求項３】
請求項２に記載の排泄物処理材において、
前記第１及び第２のシートは、周縁部において互いに貼り合わされている排泄物処理材。
【請求項４】
請求項２又は３に記載の排泄物処理材において、
前記開封口は、前記第１及び第２のシートのうち前記第１のシートにのみ設けられている排泄物処理材。
【請求項５】
請求項２乃至４の何れかに記載の排泄物処理材において、
前記開封口は、前記第１のシート上において第１の方向に延在する直線状の第１のミシン目を含む排泄物処理材。
【請求項６】
請求項５に記載の排泄物処理材において、
前記第１のミシン目は、前記第１の方向に沿って、前記第１のシートの略全体にわたって延在する排泄物処理材。
【請求項７】
請求項５又は６に記載の排泄物処理材において、
前記第１のミシン目は、前記第１のシートの中心を通るように設けられている排泄物処理材。
【請求項８】
請求項５乃至７の何れかに記載の排泄物処理材において、
前記開封口は、前記第１のシート上において前記第１の方向と異なる第２の方向に延在する直線状の第２のミシン目を含む排泄物処理材。
【請求項９】
請求項８に記載の排泄物処理材において、
前記第２のミシン目は、前記第２の方向に沿って、前記第１のシートの略全体にわたって延在する排泄物処理材。
【請求項１０】
請求項８又は９に記載の排泄物処理材において、
前記第２のミシン目は、前記第１のシートの中心を通るように設けられている排泄物処理材。
【請求項１１】
請求項８乃至１０の何れかに記載の排泄物処理材において、
前記第１の方向と前記第２の方向とは、互いに垂直である排泄物処理材。
【請求項１２】
請求項８乃至１１の何れかに記載の排泄物処理材において、
前記第１及び第２のミシン目は、前記第１のシートの対角線上に設けられている排泄物処理材。
【請求項１３】
請求項２乃至１２の何れかに記載の排泄物処理材において、
前記開封口は、前記第１のシート上に設けられたコ字状又はＵ字状の第３のミシン目を含む排泄物処理材。
【請求項１４】
請求項１３に記載の排泄物処理材において、
前記第１のシートにおける前記第３のミシン目の内側部分の面積は、当該第１のシート全体の面積の５０％以上である排泄物処理材。
【請求項１５】
請求項１４に記載の排泄物処理材において、
前記第１のシートにおける前記第３のミシン目の前記内側部分の面積は、当該第１のシート全体の面積の８０％以上である排泄物処理材。
【請求項１６】
請求項２乃至１５の何れかに記載の排泄物処理材において、
前記開封口は、前記第１のシート上に設けられた環状の第４のミシン目を含む排泄物処理材。
【請求項１７】
請求項１６に記載の排泄物処理材において、
前記第１のシートにおける前記第４のミシン目で囲まれた部分の面積は、当該第１のシート全体の面積の５０％以上である排泄物処理材。
【請求項１８】
請求項１７に記載の排泄物処理材において、
前記第１のシートにおける前記第４のミシン目で囲まれた前記部分の面積は、当該第１のシート全体の面積の８０％以上である排泄物処理材。
【発明の詳細な説明】
【技術分野】
【０００１】
本発明は、排泄物処理材に関する。
【背景技術】
【０００２】
従来の排泄物処理材としては、例えば特許文献１に記載されたものがある。同文献に記載された排泄物処理材は、人又は動物の排泄物を吸収処理する複数の粒状体を備えている。これらの粒状体は、まとめて１つの包装袋に収容された状態で出荷される。
【先行技術文献】
【特許文献】
【０００３】
【特許文献１】特開２０１０−１５８２５３号公報
【発明の概要】
【発明が解決しようとする課題】
【０００４】
かかる排泄物処理材は、箱状のトイレに敷設された状態で使用される。それゆえ、ユーザは、排泄物処理材の使用に先立って、包装袋を開封した上で、その中に収容されている粒状体をトイレに敷設する必要がある。かかる敷設作業は、ユーザにとって負担となるものである。また、場合によっては、敷設作業の際に、粒状体がトイレの外に散乱したり、粉塵（粒状体の一部が剥離等したもの）が舞ったりすることもある。
【０００５】
本発明は、上記課題に鑑みてなされたものであり、粒状体の敷設作業を省略することが可能な排泄物処理材を提供することを目的とする。
【課題を解決するための手段】
【０００６】
本発明による排泄物処理材は、排泄物を処理するための複数の粒状体と、上記複数の粒状体が収容された包装袋と、を備え、上記包装袋には、当該包装袋を端部以外の部分から開封することが可能な開封口が設けられていることを特徴とする。
【０００７】
この排泄物処理材においては、包装袋を端部以外の部分から開封することが可能な開封口が設けられている。かかる開封口を利用して包装袋を開封することにより、当該包装袋の表面又は裏面から、粒状体を露出させることができる。それゆえ、粒状体が露出する側を上にして包装袋をトイレに配置すれば、ユーザは、包装袋を開封した後、直ちに排泄物処理材を使用することが可能となる。すなわち、包装袋の開封後に、その中に収容されている粒状体をトイレに敷設する作業を行わなくても、排泄物処理材を使用することができる。
【発明の効果】
【０００８】
本発明によれば、粒状体の敷設作業を省略することが可能な排泄物処理材が実現される。
【図面の簡単な説明】
【０００９】
【図１】本発明による排泄物処理材の第１実施形態を示す平面図である。
【図２】図１のII−II線に沿った断面図である。
【図３】粒状体１０を示す模式図である。
【図４】図１の排泄物処理材において包装袋２０が開封された状態を示す平面図である。
【図５】図４に示す排泄物処理材がトイレに配置された状態を示す端面図である。
【図６】比較例に係る包装袋を示す平面図である。
【図７】図６の包装袋が開封された状態を示す斜視図である。
【図８】本発明による排泄物処理材の第２実施形態を示す平面図である。
【図９】図８の排泄物処理材において包装袋２０が開封された状態を示す平面図である。
【図１０】本発明による排泄物処理材の第３実施形態を示す平面図である。
【図１１】図１０の排泄物処理材において包装袋２０が開封された状態を示す平面図である。
【図１２】本発明による排泄物処理材の第４実施形態を示す平面図である。
【図１３】図１２の排泄物処理材において包装袋２０が開封された状態を示す平面図である。
【図１４】本発明による排泄物処理材の第５実施形態を示す平面図である。
【図１５】図１４の排泄物処理材において包装袋２０が開封された状態を示す平面図である。
【発明を実施するための形態】
【００１０】
以下、図面を参照しつつ、本発明の実施形態について詳細に説明する。なお、図面の説明においては、同一要素には同一符号を付し、重複する説明を省略する。
（第１実施形態）
【００１１】
図１は、本発明による排泄物処理材の第１実施形態を示す平面図である。また、図２は、図１のII−II線に沿った断面図である。排泄物処理材１は、人又は動物の排泄物の処理に用いられる排泄物処理材であって、複数の粒状体１０、及び包装袋２０を備えている。
【００１２】
図３は、粒状体１０を示す模式図である。粒状体１０は、排泄物を処理するための粒状体である。本実施形態において粒状体１０は、排泄物を吸収することにより、当該排泄物を処理する。各粒状体１０は、芯部１２及び被覆部１４を有している。芯部１２は、粒状に成形されている。かかる粒状の形状としては、例えば、球、円柱、楕円体が挙げられる。芯部１２は、排泄物を吸水及び保水する機能を有する。芯部１２を構成する材料としては、例えば、紙類、茶殻、プラスチック類又はオカラを用いることができる。これらの材料は、芯部１２の主材料であることが好ましい。ここで、芯部１２の主材料とは、芯部１２を構成する材料のうち、当該芯部１２に占める重量割合が最大のものをいう。
【００１３】
紙類は、パルプを主体とする材料をいう。紙類としては、例えば、通常の紙の他にも、塩ビ壁紙分級物（塩ビ壁紙を分級することにより得られる紙）、フラッフパルプ、製紙スラッジ、パルプスラッジ等が挙げられる。プラスチック類としては、例えば、紙おむつ分級物（紙おむつを分級することにより得られるプラスチック）を用いてもよい。オカラは、乾燥オカラであることが好ましい。
【００１４】
被覆部１４は、芯部１２を覆っている。被覆部１４は、芯部１２の表面の全体を覆っていてもよいし、芯部１２の表面の一部のみを覆っていてもよい。この被覆部１４は、使用時に排泄物を吸収した粒状体１０どうしを接着させて固まりにする機能を有する。被覆部１４を構成する材料としても、例えば、紙類、茶殻、プラスチック類又はオカラを用いることができる。これらの材料は、被覆部１４の主材料であることが好ましい。
【００１５】
被覆部１４には、接着性材料が含有されている。かかる接着性材料としては、例えば、澱粉、ＣＭＣ（カルボキシメチルセルロース）、ＰＶＡ（ポリビニルアルコール）、デキストリン、又は吸水性ポリマーを用いることができる。吸水性ポリマーは、平均粒径が２０μｍ以下であることが好ましい。ここで、平均粒径とは、多数の粒子の集合体である吸水性ポリマーを篩にかけたときに、５０重量％以上の粒子が通過できる最小の目開きをいう。したがって、平均粒径が２０μｍ以下であるとは、吸水性ポリマーを目開き２０μｍの篩にかけたときに、５０重量％以上の粒子が通過できるということである。
【００１６】
粒状体１０は、例えば次のようにして形成することができる。まず、芯部１２を構成する材料（芯部材料）を粉砕機で所定の大きさに粉砕した後、所定の割合でミキサーに投入して混ぜ合わせる。そして、必要に応じて加水した後、芯部材料を造粒機によって押出造粒する。これにより、粒状に成形された複数の芯部１２が得られる。次に、各芯部１２を覆うように、被覆部１４を形成する。具体的には、コーティング装置等を用いて、芯部１２の周囲に被覆部１４を構成する材料（被覆材料）を付着させることにより、被覆部１４を形成する。被覆材料の付着は、例えば、散布又は噴霧により行うことができる。その後、このようにして得られた粒状体を、所定の寸法の篩目を有する篩にかけることにより、所定の規格を満たす粒状体のみを抽出する。そして、抽出された粒状体を乾燥機で乾燥させる。以上により、複数の粒状体１０が形成される。
【００１７】
図１及び図２に戻って、複数の粒状体１０は、包装袋２０に収容されている。包装袋２０は、シート２２（第１のシート）及びシート２４（第２のシート）を有する。シート２２は包装袋２０の表面を構成し、シート２４は包装袋２０の裏面を構成している。これらのシート２２及びシート２４は、周縁部２２ａ，２４ａにおいて互いに貼り合わされている。この包装袋２０は、柔軟性を有している。包装袋２０の材料としては、例えば、ポリエチレン等のプラスチックを用いることができる。
【００１８】
包装袋２０には、図１からわかるように、包装袋２０をその端部２０ａ以外の部分から開封することが可能な開封口３２が設けられている。端部２０ａは、シート２２の周縁部２２ａとシート２４の周縁部２４ａとが貼り合わされた部分である。開封口３２は、シート２２及びシート２４のうちシート２２にのみ設けられている。開封口３２は、直線状のミシン目３３ａ（第１のミシン目）からなる。ミシン目３３ａは、シート２２上において第１の方向（図１中の上下方向）に延在している。このミシン目３３ａは、シート２２の中心を通るように設けられている。また、ミシン目３３ａは、第１の方向に沿って、シート２２の略全体にわたって延在している。ただし、ミシン目３３ａは、端部２０ａには形成されていない。
【００１９】
排泄物処理材１の効果を説明する。排泄物処理材１においては、包装袋２０を端部２０ａ以外の部分から開封することが可能な開封口３２が設けられている。開封口３２を利用して包装袋２０を開封することにより、図４に示すように、包装袋２０の表面から、粒状体１０を露出させることができる。それゆえ、図５に示すように、粒状体１０が露出する側（表面側）を上にして包装袋２０を箱状のトイレ９０に配置すれば、ユーザは、包装袋２０を開封した後、直ちに排泄物処理材１を使用することが可能となる。すなわち、包装袋２０の開封後に、その中に収容されている粒状体１０をトイレ９０に敷設する作業を行わなくても、排泄物処理材１を使用することができる。
【００２０】
図６は、比較例に係る包装袋を示す平面図である。この包装袋１０２は、包装袋２０と同様に、周縁部において互いに貼り合わされた２枚のシートからなる。包装袋１０２の上部には、開封口として切り口１０４が設けられている。切り口１０４は、包装袋１０２の端部１０２ａに形成されている。かかる切り口１０４を利用して包装袋１０２を開封する場合、包装袋１０２は、その端部１０２ａから開封されて、図７に示すように上部が開放された状態となる。この状態では、包装袋１０２の表面又は裏面から粒状体を露出させることができないため、図５に示した包装袋２０と同様にして包装袋１０２をトイレに配置したとしても、排泄物処理材を使用することができない。そのため、粒状体を包装袋１０２から出してトイレに敷設する作業が必要となる。これに対して、本実施形態によれば、上述のとおり、包装袋２０を端部２０ａ以外の部分から開封することが可能な開封口３２が設けられているため、かかる敷設作業を省略することができる。
【００２１】
包装袋２０は、それぞれ当該包装袋２０の表面及び裏面を構成するシート２２及びシート２４を有している。このため、シート２２又はシート２４にミシン目等を形成することにより、包装袋２０を端部２０ａ以外の部分から開封することが可能な開封口を容易に実現することができる。実際、本実施形態においては、シート２２にミシン目３３ａを形成することにより、包装袋２０を端部２０ａ以外の部分から開封することが可能な開封口３２が実現されている。
【００２２】
シート２２及びシート２４は、周縁部２２ａ，２４ａにおいて互いに貼り合わされている。これにより、外観性及び密閉性に優れた包装袋２０を容易に形成することができる。
【００２３】
開封口３２は、シート２２及びシート２４のうちシート２２にのみ設けられている。これにより、シート２４を切断することなく、シート２２を切断し、包装袋２０の表面に粒状体１０を露出させることができる。このようにシート２４が切断されない場合、包装袋２０の裏面が閉じた状態が維持されるため、粒状体１０が包装袋２０の外にこぼれるのを防ぐことができる。
【００２４】
開封口３２は、直線状のミシン目３３ａからなる。これにより、簡易な構成で、包装袋２０を端部２０ａ以外の部分から開封することが可能な開封口３２を実現することができる。
【００２５】
ミシン目３３ａは、第１の方向に沿って、シート２２の略全体にわたって延在している。これにより、ミシン目３３ａに沿ってシート２２を切断したときに、粒状体１０を広範囲に露出させることができる。
【００２６】
ミシン目３３ａは、シート２２の中心を通るように設けられている。これにより、ミシン目３３ａに沿ってシート２２を切断したときに、粒状体１０がシート２２の中央部に露出することになるため、排泄物処理材１を使用しやすくなる。
（第２実施形態）
【００２７】
図８は、本発明による排泄物処理材の第２実施形態を示す平面図である。排泄物処理材２は、人又は動物の排泄物の処理に用いられる排泄物処理材であって、複数の粒状体１０、及び包装袋２０を備えている。粒状体１０及び包装袋２０の構成は、第１実施形態で説明したとおりである。
【００２８】
本実施形態において包装袋２０には、包装袋２０をその端部２０ａ以外の部分から開封することが可能な開封口３４が設けられている。開封口３４は、シート２２及びシート２４のうちシート２２にのみ設けられている。開封口３４は、直線状のミシン目３３ａに加えて、直線状のミシン目３３ｂ（第２のミシン目）を含んでいる。ミシン目３３ａの構成は、第１実施形態で説明したとおりである。
【００２９】
ミシン目３３ｂは、シート２２上において第２の方向（図８中の左右方向）に延在している。第２の方向は、ミシン目３３ａの延在方向である第１の方向と異なる方向である。本実施形態において第１及び第２の方向は、互いに垂直である。このミシン目３３ｂは、シート２２の中心を通るように設けられている。また、ミシン目３３ｂは、第２の方向に沿って、シート２２の略全体にわたって延在している。ただし、ミシン目３３ｂは、端部２０ａには形成されていない。
【００３０】
排泄物処理材２の効果を説明する。排泄物処理材２においては、包装袋２０を端部２０ａ以外の部分から開封することが可能な開封口３４が設けられている。開封口３４を利用して包装袋２０を開封することにより、図９に示すように、包装袋２０の表面から、粒状体１０を露出させることができる。それゆえ、粒状体１０が露出する側（表面側）を上にして包装袋２０をトイレに配置すれば、ユーザは、包装袋２０を開封した後、直ちに排泄物処理材２を使用することが可能となる。したがって、粒状体１０の敷設作業を省略することが可能な排泄物処理材２が実現されている。
【００３１】
開封口３４は、ミシン目３３ａに加えて、ミシン目３３ｂを含んでいる。これにより、開封口３４がミシン目３３ａのみからなる場合に比して、粒状体１０を広範囲に露出させることができる。
【００３２】
ミシン目３３ｂは、第２の方向に沿って、シート２２の略全体にわたって延在している。これにより、ミシン目３３ｂに沿ってシート２２を切断したときに、粒状体１０を広範囲に露出させることができる。
【００３３】
ミシン目３３ｂは、シート２２の中心を通るように設けられている。これにより、ミシン目３３ｂに沿ってシート２２を切断したときに、粒状体１０がシート２２の中央部に露出することになるため、排泄物処理材２を使用しやすくなる。本実施形態のその他の効果は、第１実施形態と同様である。
（第３実施形態）
【００３４】
図１０は、本発明による排泄物処理材の第３実施形態を示す平面図である。排泄物処理材３は、人又は動物の排泄物の処理に用いられる排泄物処理材であって、複数の粒状体１０、及び包装袋２０を備えている。粒状体１０及び包装袋２０の構成は、第１実施形態で説明したとおりである。
【００３５】
本実施形態において包装袋２０には、包装袋２０をその端部２０ａ以外の部分から開封することが可能な開封口３５が設けられている。開封口３５は、シート２２及びシート２４のうちシート２２にのみ設けられている。開封口３５は、直線状のミシン目３５ａ（第１のミシン目）及び直線状のミシン目３５ｂ（第２のミシン目）を含んでいる。
【００３６】
ミシン目３５ａ，３５ｂは、シート２２の対角線上に設けられている。すなわち、ミシン目３５ａの延在方向（第１の方向）はシート２２における２本の対角線の一方に平行な方向であり、ミシン目３５ｂの延在方向（第２の方向）は上記対角線のもう一方に平行な方向である。したがって、これらのミシン目３５ａ，３５ｂは、シート２２の中心を通っている。また、ミシン目３５ａ，３５ｂは、それぞれ第１及び第２の方向に沿って、シート２２の略全体にわたって延在している。ただし、ミシン目３５ａ，３５ｂは、端部２０ａには形成されていない。
【００３７】
排泄物処理材３の効果を説明する。排泄物処理材３においては、包装袋２０を端部２０ａ以外の部分から開封することが可能な開封口３５が設けられている。開封口３５を利用して包装袋２０を開封することにより、図１１に示すように、包装袋２０の表面から、粒状体１０を露出させることができる。それゆえ、粒状体１０が露出する側（表面側）を上にして包装袋２０をトイレに配置すれば、ユーザは、包装袋２０を開封した後、直ちに排泄物処理材３を使用することが可能となる。したがって、粒状体１０の敷設作業を省略することが可能な排泄物処理材３が実現されている。
【００３８】
開封口３５は、ミシン目３５ａ及びミシン目３５ｂを含んでいる。これにより、開封口３５がミシン目３５ａ又はミシン目３５ｂの何れか一方のみからなる場合に比して、粒状体１０を広範囲に露出させることができる。特にミシン目３５ａ，３５ｂは、シート２２の対角線上に設けられている。これにより、包装袋２０の表面の略全体に粒状体１０を露出させることができる（図１１参照）。本実施形態のその他の効果は、第１及び第２実施形態と同様である。
（第４実施形態）
【００３９】
図１２は、本発明による排泄物処理材の第４実施形態を示す平面図である。排泄物処理材４は、人又は動物の排泄物の処理に用いられる排泄物処理材であって、複数の粒状体１０、及び包装袋２０を備えている。粒状体１０及び包装袋２０の構成は、第１実施形態で説明したとおりである。
【００４０】
本実施形態において包装袋２０には、包装袋２０をその端部２０ａ以外の部分から開封することが可能な開封口３６が設けられている。開封口３６は、シート２２及びシート２４のうちシート２２にのみ設けられている。開封口３６は、コ字状又はＵ字状のミシン目３７（第３のミシン目）からなる。シート２２におけるミシン目３７の内側部分（図１２において斜線が付された部分）の面積は、シート２２全体の面積の５０％以上であることが好ましく、８０％以上であることがより好ましい。ただし、ミシン目３７は、端部２０ａには形成されていない。
【００４１】
排泄物処理材４の効果を説明する。排泄物処理材４においては、包装袋２０を端部２０ａ以外の部分から開封することが可能な開封口３６が設けられている。開封口３６を利用して包装袋２０を開封することにより、図１３に示すように、包装袋２０の表面から、粒状体１０を露出させることができる。それゆえ、粒状体１０が露出する側（表面側）を上にして包装袋２０をトイレに配置すれば、ユーザは、包装袋２０を開封した後、直ちに排泄物処理材４を使用することが可能となる。したがって、粒状体１０の敷設作業を省略することが可能な排泄物処理材４が実現されている。
【００４２】
開封口３６は、コ字状又はＵ字状のミシン目３７からなる。かかる形状のミシン目３７は、当該ミシン目３７の内側部分を開放することができるため、粒状体１０を広範囲に露出させるのに特に適している。このように粒状体１０を広範囲に露出させるという観点から、シート２２におけるミシン目３７の内側部分の面積は、シート２２全体の面積の５０％以上であることが好ましく、８０％以上であることがより好ましい。本実施形態のその他の効果は、第１実施形態と同様である。
（第５実施形態）
【００４３】
図１４は、本発明による排泄物処理材の第５実施形態を示す平面図である。排泄物処理材５は、人又は動物の排泄物の処理に用いられる排泄物処理材であって、複数の粒状体１０、及び包装袋２０を備えている。粒状体１０及び包装袋２０の構成は、第１実施形態で説明したとおりである。
【００４４】
本実施形態において包装袋２０には、包装袋２０をその端部２０ａ以外の部分から開封することが可能な開封口３８が設けられている。開封口３８は、シート２２及びシート２４のうちシート２２にのみ設けられている。開封口３８は、環状のミシン目３９（第４のミシン目）からなる。シート２２におけるミシン目３９で囲まれた部分の面積は、シート２２全体の面積の５０％以上であることが好ましく、８０％以上であることがより好ましい。ただし、ミシン目３９は、端部２０ａには形成されていない。
【００４５】
排泄物処理材５の効果を説明する。排泄物処理材５においては、包装袋２０を端部２０ａ以外の部分から開封することが可能な開封口３８が設けられている。開封口３８を利用して包装袋２０を開封することにより、図１５に示すように、包装袋２０の表面から、粒状体１０を露出させることができる。それゆえ、粒状体１０が露出する側（表面側）を上にして包装袋２０をトイレに配置すれば、ユーザは、包装袋２０を開封した後、直ちに排泄物処理材５を使用することが可能となる。したがって、粒状体１０の敷設作業を省略することが可能な排泄物処理材５が実現されている。
【００４６】
開封口３８は、環状のミシン目３９からなる。かかる形状のミシン目３９は、当該ミシン目３９で囲まれた部分を開放することができるため、粒状体１０を広範囲に露出させるのに特に適している。このように粒状体１０を広範囲に露出させるという観点から、シート２２におけるミシン目３９で囲まれた部分の面積は、シート２２全体の面積の５０％以上であることが好ましく、８０％以上であることがより好ましい。本実施形態のその他の効果は、第１実施形態と同様である。
【００４７】
本発明による排泄物処理材は、上記実施形態に限定されるものではなく、様々な変形が可能である。上記実施形態においては、シート２２が包装袋２０の表面を構成し、シート２４が包装袋２０の裏面を構成する場合を例示した。しかし、シート２２が包装袋２０の裏面を構成し、シート２４が包装袋２０の表面を構成してもよい。
【００４８】
上記実施形態においては、開封口としてミシン目を例示した。しかし、開封口としては、包装袋２０を端部２０ａ以外の部分から開封することが可能な構造である限り、ミシン目以外のものを用いてもよい。例えば、ティアテープを開封口として用いてもよい。
【００４９】
上記実施形態においては、粒状体１０が、芯部１２及び被覆部１４からなる複層構造を有する例を示した。しかし、被覆部１４を設けることは必須でない。すなわち、粒状体１０は、芯部１２のみからなる単層構造を有していてもよい。その場合、芯部１２に接着性材料が含有されることが好ましい。
【００５０】
上記実施形態においては、排泄物を吸収することにより当該排泄物を処理する吸水型の粒状体１０を例示した。しかし、粒状体１０は、排泄物を透過させることにより当該排泄物を処理する透水型の粒状体であってもよい。ここで、透水型の粒状体には、当該粒状体の内部を排泄物が通過するようにしたものと、当該粒状体間の隙間を排泄物が通過するようにしたものとの２種類がある。後者の例としては、撥水性を有する粒状体が挙げられる。
【符号の説明】
【００５１】
１  排泄物処理材
２  排泄物処理材
３  排泄物処理材
４  排泄物処理材
５  排泄物処理材
１０  粒状体
１２  芯部
１４  被覆部
２０  包装袋
２０ａ  端部
２２  シート（第１のシート）
２２ａ  周縁部
２４  シート（第２のシート）
２４ａ  周縁部
３２  開封口
３３ａ  ミシン目（第１のミシン目）
３３ｂ  ミシン目（第２のミシン目）
３４  開封口
３５  開封口
３５ａ  ミシン目（第１のミシン目）
３５ｂ  ミシン目（第２のミシン目）
３６  開封口
３７  ミシン目（第３のミシン目）
３８  開封口
３９  ミシン目（第４のミシン目）
９０  トイレ
【図１】
2017070885.tif 000003
【図２】
2017070885.tif 000004
【図３】
2017070885.tif 000005
【図４】
2017070885.tif 000006
【図５】
2017070885.tif 000007
【図６】
2017070885.tif 000008
【図７】
2017070885.tif 000009
【図８】
2017070885.tif 000010
【図９】
2017070885.tif 000011
【図１０】
2017070885.tif 000012
【図１１】
2017070885.tif 000013
【図１２】
2017070885.tif 000014
【図１３】
2017070885.tif 000015
【図１４】
2017070885.tif 000016
【図１５】
2017070885.tif 000017